(57)【要約】パッケージに対する責任を受け入れた個人からの信号を使用して、コミュニティの個人を介して物体を搬送するためのシステム。本発明はコミュニティの個人を介して物体を搬送するためのシステムに関し、システムは、物体を収容するように意図され、少なくとも１つの認識コード（３１）を与えられたパッケージ（Ｅ）と、コミュニティの個人が保持するコンピュータユニット（１）によってダウンロードされるように意図された少なくとも１つのコンピュータアプリケーション（１３）を含むコンピュータプラットフォーム（３）とを使用し、各パッケージが前記１つ又は複数の物体のための少なくとも１つの画像センサ（４）を設けられることと、システムがパッケージの搬送の所定の重要段階を判断及び検出するモジュール（４０）を含むことと、コンピュータプラットフォーム（３）及び／又は前記コンピュータユニットが、搬送の各所定の重要段階において画像取得要求を１つ又は複数の画像センサ（４）に送信し、コンピュータアプリケーション（１３）を介して、１つ又は複数の画像センサ（４）が撮影した前記１つ又は複数の物体に関する画像を受信するようにパラメータ化されることを特徴とする。
2019532437.tif 000002
【特許請求の範囲】
【請求項１】
コミュニティの個人を介して物体を搬送するためのシステムであって、
前記物体を収容するように意図され、少なくとも１つの認識コード（３１）を与えられたパッケージ（Ｅ）と、
前記コミュニティの前記個人が保持する携帯型コンピュータユニット（１）と、
前記コミュニティの前記個人が保持する前記コンピュータユニット（１）によってダウンロードされるように意図された少なくとも１つのコンピュータアプリケーション（１３）、及び、全てのパッケージの前記認識コード（３１）をリストする、前記パッケージに関する少なくとも１つのデータベース（３０１）を含むコンピュータプラットフォーム（３）と、を使用し、
各パッケージが前記物体のための少なくとも１つの画像センサ（４）を設けられることと、
前記システムが、前記パッケージの搬送の所定の重要段階を判断及び検出するモジュール（４０）を有することと、
前記コンピュータプラットフォーム（３）及び／又は前記コンピュータユニットが、
搬送の各所定の重要段階において画像取得要求を前記画像センサ（４）に送信し、
前記コンピュータアプリケーション（１３）を介して、前記画像センサによって撮影された前記物体に関する画像を受信するように、パラメータ化されることと、
前記コンピュータプラットフォーム（３）が、
前記パッケージ（Ｅ）を一時的に預かる前記個人から、前記個人が保持する前記コンピュータユニットに含まれる前記コンピュータアプリケーションを介して責任受入れ信号を受信し、
責任受入れ信号の受信後に、画像取得信号を前記画像センサ（４）に送信するように、パラメータ化されることと、を特徴とするシステム。
【請求項２】
前記所定の重要段階は、以下のグループ、
ある個人から別の個人へのパッケージの引渡し、
前記パッケージの開放及び／又は閉鎖、
権限を与えられた個人による要求、
前記プラットフォームの管理者による要求、から選択されることを特徴とする、請求項１に記載のシステム。
【請求項３】
前記コンピュータプラットフォーム（３）及び／又は前記コンピュータユニットは、画像比較モジュール（１４）を備え、
少なくとも２つの異なる搬送時点に対応する、前記物体に関する少なくとも２つの画像を、前記コンピュータアプリケーションを介して受信し、
前記２つの画像を比較し、
前記２つの画像間の変化が所定の異常レベルに達したかどうかを判断するように、パラメータ化されることを特徴とする、請求項１に記載のシステム。
【請求項４】
前記画像比較モジュール（１４）は、２つの画像間の画像減算を行い、減算後に差分しきい値を検出するように、パラメータ化されることを特徴とする、請求項３に記載のシステム。
【請求項５】
前記パッケージに関するデータベース（３０１）は、各パッケージに対して、前記画像センサによる前記物体の画像取得のタイムスタンプデータ（３４）を備えることを特徴とする、請求項１から４のいずれかに記載のシステム。
【請求項６】
各パッケージは、前記パッケージと共に前記物体の重さを計量する装置（５）、（５０）、（５１）を設けられることを特徴とする、請求項１から５のいずれかに記載のシステム。
【請求項７】
前記コンピュータプラットフォーム（３）が、前記パッケージ（Ｅ）を一時的に預かる前記個人から、前記個人が保持する前記コンピュータユニットに含まれた前記コンピュータアプリケーションを介して責任受入れ信号を受信するようにパラメータ化されることと、
前記プラットフォームが、責任受入れ信号の受信後に、前記計量装置（５）、（５０）、（５１）に計量信号を送信するようにパラメータ化されることと、を特徴とする請求項６に記載のシステム。
【請求項８】
各パッケージは、少なくとも１つのファスナー（６）及び少なくとも１つのスライダ（６０）、並びに前記ファスナーに沿った前記スライダの位置を検出する装置（６１）を設けられることを特徴とする、請求項１から７のいずれかに記載のシステム。
【請求項９】
各パッケージは前記ファスナー及びスライダを覆うように意図された少なくとも１つのフラップ（７）を設けられ、前記パッケージは、前記フラップの開状態を検出する装置（７１）を含む電気回路に組み込まれたケーブル（７０）を備えることを特徴とする、請求項８に記載のシステム。
【請求項１０】
請求項１から９のいずれかに記載のシステムを使用して発送された物体に対する受け入れられた責任を追跡するための方法であって、
前記コンピュータプラットフォーム（３）と個人が保持するコンピュータユニット（１）との間のデータ交換を許可する前記コンピュータアプリケーションを起動するステップと、
前記コンピュータプラットフォームによって、コンピュータユニットに含まれた前記コンピュータアプリケーションを介して、２つの異なる搬送時点に対応する、前記物体の少なくとも２つの連続する画像を受信するステップと、
前記２つの連続する画像を比較するステップと、
前記２つの画像間の変化が異常レベルに達したかどうかを判断するステップと、を備えることを特徴とする方法。
【請求項１１】
コンピュータプログラムであって、前記コンピュータプログラムが少なくとも１つのプロセッサによって実行される場合に、請求項１０に記載の方法のステップを実行するように適合した命令を備えるコンピュータプログラム。
【請求項１２】
請求項１０に記載の方法のステップを実行するための命令を備えるコンピュータプログラムが記録されたコンピュータ可読記録媒体。
【発明の詳細な説明】
【技術分野】
【０００１】
本発明は物流の分野に関する。より正確には、本発明は、物体の搬送に関し、より詳細には、任意の者による及び任意又はほぼ任意の手段による搬送が可能な寸法と重量を有する物体の搬送に関する。
【０００２】
この点において、本発明は、重量が８ｋｇを超えない物体、又は、より一般的に、航空会社の手荷物の定義に対応する寸法及び重量の物体を搬送するためのシステムに関する。明らかに、本発明は、ことによるとほんの封筒の送付を含めて、より小さな寸法、重量の物体にも適用される。
【背景技術】
【０００３】
本発明の分野において、製品のオンライン売買を行うサービス業者には、前記製品を世界中に配送することを大いに期待しているものもいる。
【０００４】
しかし、国際的な規模では、数時間内の速達は、複雑であるどころか、不可能であり、少なくとも、非常に遅いか、高額であるか、又はその両方である。したがって、インターネット商取引が国境を有しない一方で、国際的な商業配送及び個人配送に対する強い制限要因が存在している。その結果、いくつかの国際配送企業が得た巨額の収入にも拘わらず、国際速達は非常に小さな市場のみを構成している。
【０００５】
この調査結果は、全ての現在の配送物流システムが、特に、
−搬送される物品の分類、
−バルク輸送、
−包みによる託送、
に基づいた集中管理アプローチに基づくという事実に関連している。
【０００６】
さらに、従来の慣行を分析することで、
−（従来の専門家と異なる行為者が、リソースをユーザに利用できるようにする商取引モデルを採用することで、新たな大きい機会が生み出されているけれども）地域の郵便配達は、比較的狭い地理的領域どころか局所的な領域内の配送に制限され、
−（多かれ少なかれ独占的な）国内配送は約２４時間の配送時間で完璧に機能しているが、この市場は定義上１か国に限定され、
−国際配送は、時に不適当どころか受け入れがたい配送時間と費用と共に、国際配送に特化した企業の発展に好都合である隙間産業に留まる、
ことが確認される。
【０００７】
したがって、今日、現在の慣行よりも短い時間内にあまり高くないサービスコストどころか低コストで物品の発送及び配送すること関して、明示的又は暗示的な期待がある。
【０００８】
これらの期待を満たすための１つの方法はコミュニティ及び／又は協同アプローチにあり、それにより、大きな割合の個人が共に多数の移動の機会を得る世界において各自が活動する。
【０００９】
したがって、このアプローチによれば、協同システムの中の個人の１人に物体を任せることで出発点から物体を発送し、この個人のみを介して、又は協同システムの中の１人以上の他の個人による中継を介して、到着点まで物体を送ることが考えられる。
【発明の概要】
【００１０】
明らかに、当該システム内において、所定の搬送段階又はその任意の時点で、発送された物体の保全性を制御できることが必須である。
【００１１】
パッケージに対する責任を負うことを一時的に担当するコミュニティの中の個人を識別できることも重要である。
【００１２】
さらに、発送される物体の位置をその到着点に対して及び／又は協同システムに参加する個人に対して関係づけるように、発送される物体の位置をリアルタイムで知ることも必要である。
【００１３】
本発明の特定の目的は、所定の搬送段階どころか、そのいかなる時点でも、発送された物体の保全性の制御を可能にする協同物流アプローチを使用することである。
【００１４】
本発明のさらなる目的は、発送される物体の受入れ及びその物体に対する責任の個人による宣言、並びに引渡しの受入れの追跡を可能にする協同物流アプローチを提供することである。
【００１５】
本発明のさらなる目的は、そこに参加する個人にとって使用することが簡単で実用的な協同物流アプローチを提供することである。
【００１６】
本発明のさらなる目的は、特に、発送される物体と組み合わされ、物体の時間及び空間上のトレサビリティに関係する技術的手段の電気的な再充電の管理に関して、物体の搬送に参加する個人に対して制約をほぼ又は全く課さない協同物流アプローチを提供することである。
【００１７】
さらなる本発明の目的は、これらの物体を送付する者に対して迅速で安価なサービスを保証する前記物体搬送システムを提供することである。
【００１８】
これらの目的及び後に明らかになる他の目的は本発明によって達成され、その主題は、コミュニティの中の個人を介して物体を搬送するためのシステムであって、当該システムは、
−物体を収容するように意図され、少なくとも１つの認識コードを与えられたパッケージと、
−コミュニティの個人が保持するコンピュータユニットによってダウンロードされるように意図された少なくとも１つのコンピュータアプリケーション、及び、全てのパッケージの認識コードをリストする、パッケージに関する少なくとも１つのデータベースを含むコンピュータプラットフォームと、を使用し、
システムが、パッケージの搬送の所定の重要段階を判断及び検出する手段を有することと、
コンピュータプラットフォーム及び／又はコンピュータユニットが、
−搬送の各所定の重要段階において画像取得要求を１つ又は複数の画像センサに送信し、
−コンピュータアプリケーションを介して、１つ又は複数の画像センサによって撮影された前記１つ又は複数の物体に関する画像を受信するように、パラメータ化されることと、を特徴とする。
【００１９】
したがって、本発明によって、搬送中の物体の外観を監視することで当該物体の保全性を確認することが可能である。それゆえ、本発明のシステムによって搬送を安全なものにする手順が得られ、これにより、本発明の搬送システムを介して物体を送付するユーザに信頼できる運用が確保される。
【００２０】
１つの好ましい解決策によれば、所定の重要段階は、以下のグループ、
−ある個人から別の個人へのパッケージの引渡し、
−パッケージの開放及び／又は閉鎖、
−個人による要求、
−プラットフォームの管理者による要求、
から選択される。
【００２１】
通常、物体の画像の確認は、いつでも、特に、
−（チェーンを構成する、権限を与えられた要素、すなわち、送付者、保管者、移動者、受取人だが、さらに警察、税関等によってトリガされた）要求に応じて、
−又は（例えば、それぞれの開放時、又はそれぞれの開放もしくは非開放状態での移転時に）システムによって自動で、
行うことができることに留意されたい。
【００２２】
したがって、物体の画像の確認は、自動ででき、任意に、必要（位置、衝撃検出、重量変化、一定の間隔、様々な警告等）に応じてプログラムで制御できる。確認は、ことによると、システムが開放許可も与えて、又はそれが無視された場合に（例えば、移転の前後にＧＰＳで移転場所を特定することによって）予測によって、各開放時、開放前及び／又は開放後に実行できる。
【００２３】
確認は、全ての関係者及び権限者による要求に応じて、ことによると開放なく実行されてもよい。
【００２４】
１つの特定の実施形態によれば、コンピュータプラットフォーム及び／又はコンピュータユニットは、画像比較モジュールを備え、
−少なくとも２つの異なる搬送時点に対応する、前記１つ又は複数の物体に関する少なくとも２つの画像を、コンピュータアプリケーションを介して受信し、
−２つの画像を比較し、
−２つの画像間の変化が所定の異常レベルに達したかどうかを判断するように、パラメータ化される。
【００２５】
言い換えると、システムによって、時間間隔を置いて撮影された物体の２つの画像の比較後に、その外観に変化がほとんど又は全くないとみなされた場合、物体の保全性は維持されているとみなされる。その一方で、時間間隔を置いて撮影された物体の２つの画像間の差分が所定のしきい値に達した又はそれを超えたことをシステムが検出した場合、物体の保全性に注意が払われなかったとみなされ、その場合、別の処置の可能性、特にシステムに関与する１人又は複数の個人に対する警告信号の送信が考慮され得る。
【００２６】
１つの有利な解決策によれば、コンピュータプラットフォームは、パッケージを一時的に預かる個人から、個人が保持するコンピュータユニットに含まれるコンピュータアプリケーションを介して責任受入れ信号を受信するようにパラメータ化され、プラットフォームは、責任受入れ信号の受信後に、画像取得信号を１つ又は複数の画像センサに送信するようにパラメータ化される。
【００２７】
このようにして、物体搬送システムは、搬送に参加する異なる者による物体の引渡し（及び物体に対する責任）の受入れのトレサビリティを確実にする。したがって、ある個人から別の個人への物体の各移転は物体の外観の監視を伴い、それによって、物体の保全性に注意が払われながら移転が進行中であることが確認される。同様に、物体を受け取る個人は、物体がいかなる損傷も受けていないこと、及び物体が完全な状態であるという確信と共に受入れられ得ることを確信する。
【００２８】
１つの好ましい解決策によれば、画像比較モジュールは、２つの画像間の画像減算を行い、減算後の差分しきい値を検出するようにパラメータ化される。
【００２９】
好ましくは、パッケージに関するデータベースは、各パッケージに対して、画像センサ手段による前記１つ又は複数の物体の画像取得のタイムスタンプデータを備える。
【００３０】
それにより、物体の画像取得の履歴を構成する可能性を伴って、搬送に関する追加のデータが得られ、それにより、搬送の異なる時間において物体の保全性が確認される。明らかに、特に物体の外観の変化が異常であるとみなされた場合、画像取得のタイムスタンプ処理は、物体の保全性が維持されている画像までさかのぼることで、どの時間にこの検出がなされたか、したがって、どの時間以降に変化が起こり得たかの識別を可能にする。
【００３１】
別の有利な特徴によれば、各パッケージは、パッケージと共に１つまたは複数の物体の重さを計量する装置を設けられる。
【００３２】
このようにして、外観に関するデータを重量に関するデータと組み合わせることが可能である。それによって、外観が変化していないかもしれないが重量が変化している場合に、物体の保全性の維持に対する確認がさらに確実になる。
【００３３】
この場合、コンピュータプラットフォームは、有利に、パッケージを一時的に預かる個人から、前記個人が保持するコンピュータユニットに含まれたコンピュータアプリケーションを介して責任受入れ信号を受信するようにパラメータ化され、プラットフォームは、責任受入れ信号の受信後に、計量装置に計量信号を送信するようにパラメータ化される。
【００３４】
別の有利な特徴によれば、各パッケージは、少なくとも１つのファスナー手段、及び少なくとも１つのスライダ、並びにファスナーに沿った前記１つ又は複数のスライダの位置の検出手段を備える。
【００３５】
このようにして、外観に関するデータ、場合によって重量に関するデータをパッケージの開放に関するデータと組み合わせることが可能である。それによって、物体を安全な状況で搬送中であることの確認がさらに強化される。非権限者が、物体の保全性に干渉しなくても、搬送の機密性に干渉する可能性は常にある。
【００３６】
この場合、各パッケージは、ファスナー手段及び１つ又は複数のスライダを覆うように意図された少なくとも１つのフラップを有利に設けられ、パッケージは、前記フラップの開状態を検出する手段を有する電気回路に組み込まれたケーブルを備える。
【００３７】
上記の特徴は、パッケージの開放、及び非権限者によるパッケージの内容物の入手の試みに関して、パッケージを確認する機会をさらに増やすことで、物体の搬送を安全にすることに貢献する。
【００３８】
また、本発明は、前述のようなシステムを使用して発送された物体に対する受け入れられた責任の追跡するための方法に関し、方法は、
−コンピュータプラットフォームと個人が保持するコンピュータユニットとの間のデータ交換を許可するコンピュータアプリケーションを起動するステップと、
−コンピュータプラットフォームによって、コンピュータユニットに含まれたコンピュータアプリケーションを介して、２つの異なる搬送時点に対応する、前記１つ又は複数の物体の少なくとも２つの連続する画像を受信するステップと、
−２つの連続する画像を比較するステップと、
−２つの画像間の変化が異常レベルに達したかどうかを判断するステップと、を備えることを特徴とする。
【００３９】
また、本発明はコンピュータプログラムに関し、コンピュータプログラムは、前記コンピュータプログラムが少なくとも１つのプロセッサによって実行される場合に、上述の方法のステップの実行に適合した命令を備える。
【００４０】
本発明は、さらに、上述の方法のステップを実行するための命令を備えるコンピュータプログラムが記録されたコンピュータ可読記録媒体に関する。
【００４１】
さらに、残りの部分で明らかになるように、本発明は、時間及び空間上のトレサビリティシステムを用いて、コミュニティの個人を介して物体を搬送するためのシステムを提案し、トレサビリティシステムは、コミュニティの個人が保持し、第１近距離無線通信手段及びジオロケーション手段を備える携帯型コンピュータユニットにダウンロードされるように意図された少なくとも１つのコンピュータアプリケーションを含むコンピュータプラットフォームを備え、当該システムは、それが、物体を収容するように意図されたパッケージ内の組み込み装置を備え、組み込み装置が、それぞれに、第１近距離無線通信手段と通信可能な第２近距離無線通信手段と、前記第２近距離無線通信手段が提供するデータを取得し処理するための、第２近距離無線通信手段と協働可能な少なくとも１つの処理コンピュータモジュールとを有することと、コンピュータモジュールが、コンピュータモジュールと携帯型コンピュータユニットの間のデータ交換を許可する前記コンピュータアプリケーションを備え、コンピュータアプリケーションは、組み込み装置がコンピュータユニットのジオロケーション手段にアクセスしそれを利用できるように意図された通信チャネルを開くようにパラメータ化されることと、を特徴とする。
【００４２】
したがって、前記システムによって、特に、発送される物体に組み合わされ、そのジオロケーションを確実にする技術的手段の充電状態に関して、発送された物体に組み合わされた技術的手段の適切な作動に対する責任を移転することなく、コミュニティの個人を介して物体搬送協同システム内を物体が移動するための時間及び空間上のトレサビリティシステムが得られる。
【００４３】
ジオロケーション手段などの電力消費が高い技術的手段は、発送された物体に組み合わされた技術的手段に含まれない。電力消費が低い手段のみが発送された物体に組み合わされる。
【００４４】
その結果、普通のバッテリーによって、発送された物体に組み合わされた技術的手段に電力を供給することが可能であり、長期間にわたる自己電力供給を確保できる。
【００４５】
本発明のこの側面において、組み込み装置は、発送された物体の移動中に、近距離無線通信手段を介して、携帯型ユニットに、ことによると相次いで携帯型ユニットに言わば接がれ、特に携帯型ユニットに組み込まれたジオロケーション手段に関して、携帯型ユニットの「高機能性」を利用する。
【００４６】
したがって、組み込み装置は完全に電気的に自給自足して長距離を移動することができる。さらに、組み込み装置は、電気的に再充電される必要なく何度も再利用でき、異なる発送される物体に相次いで連結される。
【００４７】
明らかに、組み込み装置の可能な多数回の再利用は、トレサビリティシステムに、明らかな経済的利益を与え、組み込み装置の急速な旧式化を全体又は部分的に防ぐすることで、最適化されたカーボンフットプリントを与える。
【００４８】
本発明の他の特徴及び利点は、ただ説明的及び非限定的な例として提示された本発明の好ましい実施形態の以下の説明を、添付の図を参照して理解することでより明らかになるであろう。
【図面の簡単な説明】
【００４９】
【図１】本発明による物体搬送システムを概略的に示す。
【図２】本発明のシステムにおける物体の搬送に利用可能なパッケージ内の画像センサの存在を概略的に示す。
【図３】本発明のシステムにおける物体の搬送に利用可能なパッケージの取っ手を概略的に示す。
【図４】本発明の物体搬送システムにおける責任移転の手順を概略的に示す。
【図５】本発明の物体搬送システムにおける物体の搬送に利用可能なパッケージ及びその環境を概略的に示す。
【図６】本発明のシステムにおける物体の搬送に利用可能なパッケージの１つの特定の実施形態を概略的に示し、パッケージはフラップ及びフラップ開放検出ケーブルを備えつけられている。
【発明を実施するための形態】
【００５０】
前述の通り、本発明の本質は、協同方式の物体搬送システム、すなわちコミュニティの中の個人のグループによって実施される物体搬送システムを提案することである。
【００５１】
図１、図４、及び図５に示すように、前記システムは、
−コミュニティの個人Ｉが保持するコンピュータユニット１、
−携帯型コンピュータユニットにダウンロードされるように意図されたコンピュータアプリケーションを含むコンピュータプラットフォーム３、
−それぞれに少なくとも１つの認識コード３１を与えられ、発送される物体Ｏを収容するように意図されたパッケージＥ内の組み込み装置２であって、これらのパッケージは、ことによると、発送される物体に適合した形及び寸法の任意の容器（封筒、包み、小包等）である（容器の寸法、及び内容物の重量に容器の重量が加算された全重量は、好ましいが非排他的に、航空会社の基準によって手荷物に対して定められた基準に適合する）組み込み装置２、
を備える種類のものである。
【００５２】
コンピュータプラットフォーム３は、遠隔アクセス可能なサーバ３０を備え、出発点から到着点までの物体の搬送データを受信するようにパラメータ化される。出発点及び到着点に対するデータ入力方法の詳細は後述される。
【００５３】
本発明の本質によれば、各パッケージは、前記１つ又は複数の物体のための少なくとも１つの画像センサ４を設けられる。図２を参照して、１つ又は複数の画像センサは、
−パッケージの内容物の全体像が得られるように、（本質的に平行六面体の形状の）パッケージの内側の一角に取りつけられたデジタルカメラ、
−デジタルカメラと同時にトリガされるように意図されたフラッシュ（不図示）、
を備える。
【００５４】
バッテリー２２は、組み込み装置に電力を供給し、画像取得ごとにデジタルカメラ及び関連したフラッシュに電力を供給する。
【００５５】
さらに、１つの特定の好ましい実施形態によれば、携帯型コンピュータユニットは、広く普及した一般的な種類のスマートフォンで形成され、特に第１近距離無線通信手段１０及びジオロケーション手段１１を備える。
【００５６】
１つの有利な実施形態によれば、搬送システムは物体トレサビリティシステムを利用し、物体トレサビリティシステムは、コンピュータプラットフォーム３を備え、特に第１近距離無線通信手段１０と通信可能な第２近距離無線通信手段２０を備える組み込み装置２の利用に基づく。さらに、これらの組み込み装置は、第２近距離無線通信手段によって供給されるデータを取得し処理するための、第２近距離無線通信手段２０と協働可能な少なくとも１つのコンピュータモジュール２１を備える。
【００５７】
明らかに、組み込み装置は、後述される他の多くの構造的手段及び機能的手段を備えてもよい。
【００５８】
本発明の１つの好ましい実施形態によれば、組み込み装置のコンピュータモジュール２１及びコンピュータユニット１は、それらの間のデータ交換を許可する共通のコンピュータアプリケーションを備える。このコンピュータアプリケーションは、組み込み装置２のコンピュータモジュール２１によるコンピュータユニットのジオロケーション手段１１へのアクセス及びその利用を可能にするように意図された通信チャネルを開くようにパラメータ化される。言い換えれば、コンピュータモジュールはコンピュータアプリケーションを組み込まれ、また、コンピュータアプリケーションは、ことによると、コンピュータプラットフォームから、コミュニティの中の個人が保持するコンピュータユニットにダウンロードされる。組み込み装置とコンピュータユニットの間にリンクが確立されると、（組み込み装置及びコンピュータユニットに共通の）コンピュータアプリケーションは、第１及び第２近距離無線通信手段を介して通信チャネルを開き、組み込み装置によるコンピュータユニットのジオロケーション手段へのアクセス及びその利用を許可する。
【００５９】
したがって、図１及び図４に示すように、組み込み装置のコンピュータモジュールは、トレサビリティに、したがってジオロケーションに専用のリソースとして、個人によって確保された搬送時間全体を通して、携帯型コンピュータユニットのリソース（この場合、物体を搬送する個人が保持するスマートフォンのリソース）を利用する。明らかに、トレサビリティシステムは、数名の個人が互いに交替して物体を搬送する場合にも適用され、その場合、組み込み装置は各個人の各携帯型コンピュータユニットと相次いで通信する。
【００６０】
より詳しく後述するように、物体のジオロケーションは、物体を預かる保管者が保持する携帯型コンピュータユニットを介して達成されてもよく、その場合、物体は、ことによると移動者個人による受け取りを待つ。
【００６１】
１つの有利な解決策によれば、第１近距離無線通信手段と第２近距離無線通信手段はＢｌｕｅｔｏｏｔｈ（登録商標）（又は他の考えられる実施形態においてＷｉＦｉ（登録商標））によってデータを交換する。
【００６２】
組み込み装置の第２近距離無線通信手段及びコンピュータモジュールは単純な非再充電式バッテリー２２によって電力を供給される。
【００６３】
組み込み装置は、定期的又は継続的に組み込み装置のバッテリーによって電力供給される他の構造的手段及び／又は機能的手段、特に、
−衝撃検出手段２３、
−温度センサ２４、
−湿度センサ２５、
−照明手段２６、
−ビデオキャプチャ手段２７、
−重量測定手段２８、
−開閉検出手段２９、
に対応することもあり得ることに留意されたい。
【００６４】
図１に見られるように、物体搬送システムは、物体の搬送を管理するコンピュータプラットフォーム３を備え、携帯型コンピュータユニットに組み込まれた第２長距離通信手段と通信するように意図された第１長距離通信手段を含む。
【００６５】
また、コンピュータプラットフォームのサーバ３０は、携帯型ユニットによってコンピュータプラットフォームに送信されたジオロケーションデータを記憶するための手段３００を備える。
【００６６】
したがって、発送される物体のトレサビリティシステムは、携帯型コンピュータユニットによって送信されたジオロケーションデータを組み込み装置のコンピュータモジュール内にローカルに記憶することに限定されない。それどころか、組み込み装置によって利用される携帯型コンピュータユニットのジオロケーションリソースに加えて、組み込み装置は、管理コンピュータプラットフォームとのやり取りのために、携帯型コンピュータユニットの長距離通信手段も利用する。
【００６７】
さらに、本発明の本質によれば、コンピュータプラットフォーム３及び／又はコンピュータユニット１は、画像比較モジュール１４を備え、
−コンピュータアプリケーションを介して、２つの異なる搬送時点に対応する、前記１つ又は複数の物体に関する少なくとも２つの画像を受信し、
−２つの画像を比較し、
−２つの画像間の変化が異常レベルに達したかどうかを判断する、
ようにパラメータ化される。
【００６８】
保全性確認のトリガは以下のように働く。
【００６９】
システムは、パッケージの搬送における所定の重要段階を判断及び検出するためのモジュール４０を含み、コンピュータプラットフォーム及び／又はコンピュータユニットは、
−各所定の重要搬送段階において１つ又は複数の画像センサ４に画像取得要求を送信し、
−コンピュータアプリケーション１３を介して、１つ又は複数の画像センサによって撮影された前記１つ又は複数の物体に関する画像を受信する、
ようにパラメータ化される。
【００７０】
所定の重要段階は、以下のグループ、
−ある個人から別の個人へのパッケージの引渡し、
−パッケージの開放及び／又は閉鎖、
−個人による要求、
−プラットフォームの管理者による要求、
から選択され得る。
【００７１】
物体に関する画像の確認は、いつでも、特に、
−（チェーンを構成する、権限を与えられた個人、すなわち、送付者、保管者、移動者、受取人だが、さらに警察、税関等によってトリガされた）要求に応じて、
−又は（例えば、それぞれの開放時、又はそれぞれの開放又は非開放状態での移転時に）システムによって自動で、
行うことができることを思い起こされたい。
【００７２】
１つの特定のアプローチによれば、以下により詳細に説明されるように、コンピュータプラットフォーム３が、パッケージＥを一時的に預かる個人から、当該個人が保持するコンピュータユニットに含まれたコンピュータアプリケーションを介して、責任受入れ信号を受信するようにパラメータ化されるという条件で、責任受入れ信号の受信後、１つ又は複数の画像センサに画像取得信号を送信するようにパラメータ化されたプラットフォームによって、画像取得がトリガされる。
【００７３】
１つ又は複数のセンサによってデジタル画像が撮影されると、画像は、組み込み装置２によって、第２近距離無線通信手段２０を介して、コンピュータユニットの第１近距離無線通信手段１０に送信される。
【００７４】
前述の通り、コンピュータプラットフォーム３は、携帯型コンピュータユニットに組み込まれた第２長距離通信手段との通信を意図された第１長距離通信手段を含む。
【００７５】
１つ又は複数のセンサによって撮影された画像は、コンピュータユニットを介して組み込み装置からコンピュータプラットフォームに転送することができる。
【００７６】
画像の比較は、プラットフォーム又は携帯型ユニット（この場合、画像は直ちにプラットフォームに送信されるのではなくローカルで処理され、その結果のみがプラットフォームに送信され、以前に撮影された物体の画像は、プラットフォームによって、比較を担当するコンピュータユニットに事前に送信されている）において実行される。
【００７７】
この目的のため、受信された画像は解凍後に比較され、これらの画像は輝度及び色度によって特徴づけられている。
【００７８】
それ自体で公知の技術を用いて、灰色の度合いが識別される（これは特に輝度の抽出を伴う）。
【００７９】
画像の各画素がその位置及び内容によって定められることを念頭に置いて、比較は、画素ごとに実行され、変化した画素数の「カウント」を伴い、ことによると、比較される画素は「関心領域」内のもののみである。
【００８０】
また、比較モジュールは、画像間の減算後の差分しきい値の検出によって、２つの画像間の変化が異常レベルに達したかを判断するようにパラメータ化される。
【００８１】
上流では、内容物の画像の取得及び処理は、
−パッケージの組み込み装置に組み込まれた一次処理ユニットによる８列の画素の連続するバンドの取得、
−バンドの取得時におけるバンドの圧縮、及びバンドの一次処理ユニットへの記憶時におけるバンドへのインデックス付け、
−全てのバンドが処理された時の、又は圧縮時におけるリアルタイムでの、インデックスを付されたバンドの二次処理ユニットへの送信、
−（圧縮された）画像を再構成するための二次処理ユニットによるバンドの連結、
−ＢＬＥリンク（「Ｂｌｕｅｔｏｏｔｈ  Ｌｏｗ  Ｅｎｅｒｇｙ」）を介した二次処理ユニットによるコンピュータプラットフォームへの、圧縮され、再構成された画像の送信、
−圧縮され、再構成された画像のプラットフォームにおける受信、
−前述のようなプラットフォームによる画像の比較、
のように実行される。
【００８２】
ＢＬＥによって画像を送信するために専用のプロファイルが作成される。
【００８３】
さらに、パッケージに関するデータベース３０１は、パッケージごとに、１つ又は複数の画像センサによる前記１つ又は複数の物体の画像取得のタイムスタンプデータ３４を備える。
【００８４】
他の考えられる特徴によれば、各パッケージは、パッケージと共に１つ又は複数の物体の重さを計量する装置を備える。
【００８５】
図２及び図３を参照して、それ自体で公知の技術によって、パッケージの重量をその物体と共に測定することは、応力ゲージ５１によって機能するようになるセンシング素子５の機械的歪みを測定することで達成されることに留意されたい。重量の測定時に、パッケージは取っ手５０で保持され、物体の重量による力の全ては、パッケージの構造を通じて、一部分がパッケージに結合し他の部分が持ち手５０に結合しているセンシング素子５に集中されなければならない。センシング素子における（数μｍの範囲の）歪みは、マイクロコントローラによって測定される応力ゲージ（ホイートストンブリッジに取り付けられた４つの抵抗）における抵抗の変化に変換される。
【００８６】
重量測定のトリガは以下のように得られる。コンピュータプラットフォーム３は、パッケージＥを一時的に預かる個人から、個人が保持するコンピュータユニットに含まれたコンピュータアプリケーションを介して、責任受入れ信号を受信するようにパラメータ化される。さらに、プラットフォームは、責任受入れ信号の受信後に計量信号を計量装置に送信するようにパラメータ化される。
【００８７】
明らかに、計量データは、また、組み込み装置、次いで個人のコンピュータユニットを介して（画像の送信に関して説明した方法と同様の方法で）、プラットフォームに送信される。重量測定は、最初に（すなわち搬送の準備段階において）に行われ、パッケージに関するデータベースに記録されている。
【００８８】
重量測定は、責任の移転時ごとに、又は送付者個人による要求に応じて、プラットフォームによって送信される要求に応じて実行される。
【００８９】
図２に示されたさらなる特徴によれば、各パッケージは少なくとも１つのファスナー６及び少なくとも１つのスライダ６０（この場合は１組のスライダ６０）を設けられる。加えて、パッケージは、それぞれに、ファスナー６に沿ったスライダ６０の位置を検出する手段を含む。
【００９０】
本実施形態によれば、ファスナーに沿って可動する２つのスライダ６０は、それぞれに、自身を金属部の向かいに配置することによってスライダの最終の配置（パッケージは閉じられる）を補助する永久磁石６００を備つけられる。この金属部の下には、ホール効果センサで形成されたスライダ位置検出装置６１が配置され、これにより、スライダの永久磁石６００によって生成された磁界の存在が検出可能である。スライダが閉位置に位置しなくなるとすぐに、ホール効果センサは、この磁界の不在を検出し、組み込み装置のコンピュータモジュールに情報を送信する。小包が閉じられているとみなされるために、両方のスライダが閉位置に置かれなければならない。
【００９１】
明らかに、開放の検出に関する情報は、また、組み込み装置を介して、次いで個人のコンピュータユニットを介して（画像及び／又は重量測定の送信に関して説明した方法と同様の方法で）、プラットフォームに送信される。パッケージの開閉の記録は、責任の移転時ごとに、又は送付者個人による要求に応じて、プラットフォームによって送信される要求に応じて実行される。
【００９２】
さらに、この検出された開放に関する情報は、パッケージに収容された物体の画像取得のためのトリガ信号として利用できる。
【００９３】
また、パッケージは、ファスナー手段６及び１つ又は複数のスライダ６０を覆うように意図されたフラップ７（図２及び図６）を設けられることで、さらに安全となる。この場合、パッケージはフラップ７が開かれたかどうかを検出する付加的な手段を備えてもよく、それを開くことはファスナーに到達するための最初のアプローチである。
【００９４】
図６に示すように、フラップ７が開かれたかどうかを検出する付加的な手段は、フラップの開状態を検出する手段を含む電気回路に組み込まれたケーブル７０である。
【００９５】
このケーブル７０は、シース内を延伸し、フラップの全周囲にわたって連続的に進み、パッケージの前面まで戻る。ケーブルの各端部は電気回路７１に接続されており、これにより、ケーブルによって形成された回路の連続性又は非連続性の検出、したがって、パッケージの保全性、特にフラップの保全性の侵害の検出が可能となる。
【００９６】
さらに、この検出されたフラップの開放に関する情報は、パッケージに収容された物体の画像の取得のためのトリガ信号として利用できる。
【００９７】
ケーブル７０は、その切断を防ぐことで保護機能を提供するために、例えば鋼鉄製であり得ることに留意されたい。
【００９８】
また、サーバは、「クライアント」個人及び発送される物体に関する第１データベース３０３をホストし、第１データベース３０３は、
−当該個人の識別コード、
−発送される物体を特徴づける重量及び寸法データ、
−ジオロケーションされた位置からの出発日、
−ジオロケーションされた位置からの配達日、
を含む。
【００９９】
また、サーバは、コミュニティの「移動者」個人及び当該個人の携帯型コンピュータユニットに関する第２データベース３０２をホストし、第２データベース３０２は（当該個人の身元に加えて）
−当該個人の識別コード、
−当該個人の出発日、
−当該個人の出発地、
−当該個人の到着日、
−当該個人の到着地、
を含む。
【０１００】
各組み込み装置は、数字で表された識別コードによって識別可能であり、サーバ３０はパッケージに関するデータベース３０１をホストし、このデータベースは、
−パッケージの認識コード３１、
−各組み込み装置の数字で表された識別コード３２、
をリストすることに留意されたい。
【０１０１】
また、サーバは、コミュニティの「保管者」個人、並びに当該個人の携帯型コンピュータユニット及び／又はコンピュータに関する第３データベース３０４をホストし、第３データベース３０４は（当該個人の身元に加えて）
−当該個人の識別コード、
−当該個人の地理的位置、
−当該個人が所持する利用可能な（組み込み装置を有する）パッケージの数、
を含む。
【０１０２】
データベース３０２、３０３、及び３０４は、分離されてもよいし、グローバルデータベース内にまとめられてもよい。各データベースは、ユーザのプロファイルに専用のコンピュータアプリケーション、この場合、「移動者」コンピュータアプリケーション３０５、「クライアント」コンピュータアプリケーション３０６、及び「保管者」コンピュータアプリケーション３０７とのリンクによってデータを受信できる。
【０１０３】
したがって、全ての個人は、各自が保持するコンピュータユニットに含まれるコンピュータアプリケーションを介して自身の識別コードを送信することによって、コンピュータプラットフォームに自身の身元を明らかにすることができる。
【０１０４】
さらに、コンピュータプラットフォームは、物体搬送要求をコンピュータプラットフォームに送信するようにパラメータ化されたユーザインタフェースと接続及び通信するための手段を備えることに留意されたい。
【０１０５】
実際に、これらのインタフェースは、専用のコンピュータアプリケーションがダウンロードされた（例えばコミュニティの「保管者」個人の）スマートフォン、コンピュータ、又はタブレットコンピュータから形成される。
【０１０６】
本発明の１つの好ましい実施形態によれば、搬送システムは、前述した組み込み装置を備えつけられたパッケージの相次ぐ引渡しのトレサビリティを確保することを目的とした責任移転システム内で実行される。
【０１０７】
前述の通り、この責任移転システムは、システムのコンピュータプラットフォームのサーバが、各組み込み装置の識別データ及び追跡データ、並びに各パッケージの認識コードを含むデータベースを備えることを提供する。より詳細には、識別データは、第１にコンピュータモジュールのＢｌｕｅｔｏｏｔｈ番号を備え、第２に搬送番号を備えてもよく、搬送番号は、コンピュータプラットフォームのサーバによって定められ、Ｂｌｕｅｔｏｏｔｈ番号と搬送番号とを対にすることで組み込み装置に割り当てられる。この割り当ては、実際には物体がパッケージに収容されるときに実行され、この作業の実行者は、サーバに接続し、（物体の送付者によって要求及び記録される）デジタル搬送ファイルとパッケージに付された視覚的コード（番号、ＱＲコード（登録商標）、又は他のもの）とをリンクさせる（全てのパッケージ、したがって全てのＢｌｕｅｔｏｏｔｈ番号は、それらに対応する視覚的コードと共に、サーバに知られている）。
【０１０８】
認識コード３１、場合によって組み込み装置の数字で表された識別コード３２及び追跡コードに加えて、パッケージＥを一時的に預かる個人の識別を意図された「責任コード」フィールド３３も、各パッケージに関連付けられる。
【０１０９】
さらに、パッケージに関するデータベースは、パッケージごとに、責任コードに基づいて更新されるタイムスタンプデータ３４を備える。
【０１１０】
したがって、責任移転システムは（システムのコンピュータプラットフォームのサーバによって）、以下のステップ、
−責任コードフィールド３３において、パッケージ（及びその中に収容された物体）を預かる者の（個人の識別コードによって提供される）身元を、パッケージ内の組み込み装置の識別データ及び追跡データのリストと関連付け、この関連付けのタイムスタンプ処理を行い、
−システムのプラットフォームを介して、パッケージを引き渡そうとしている者が送信した受入れ要求を、パッケージを預かろうとしている新たな者に送信し、
−パッケージを預かる者によって発信された受入れを受信し、
−責任コードフィールド３３において、パッケージ（及びその中に収容された物体）を預かる者の身元を修正し、この修正のタイムスタンプ処理を行う、
ことを実行するようにプログラムされている。
【０１１１】
ちょうど今説明されたステップでは、二者、引き渡す者及び引き継ぐ者が、コンピュータプラットフォームのサーバへの接続を有していることが想定されていることに留意されたい。
【０１１２】
しかしながら、当該者の１人どころか２人ともがサーバへの接続を有していない場合、パッケージを預かる者に関する情報を修正し、修正された情報を一時的に記憶することが考えられ、当該情報は、（第三者のスマートフォンを介してでさえ）接続が回復するとすぐに、対応するスマートフォン（又は対応するコンピュータ）によってサーバに送信される。
【０１１３】
したがって、通常、プラットフォームは、パッケージを一時的に預かる個人から、当該個人が保持するコンピュータユニットに含まれたコンピュータアプリケーションを介して、責任受入れ信号を受信し、その結果として、パッケージの認識コードに関連付けられた責任コードを修正するようにパラメータ化されると理解される。
【０１１４】
図４を参照して、責任移転手順は以下のように行われる。
【０１１５】
（パッケージＥ内の）物体を別の個人（引受人個人ＩＲと称する）に移転させようとしている個人（送付者個人ＩＴと称する）は、コンピュータプラットフォーム３と自身のコンピュータユニットの間のデータ交換を許可する、自身のコンピュータユニット１（スマートフォン又は他のもの）上のコンピュータアプリケーションを起動する。
【０１１６】
コンピュータアプリケーションを用いて、送付者個人ＩＴは責任移転要求をコンピュータプラットフォーム３（当該プラットフォームは、送付者個人のコンピュータユニットに含まれたコンピュータアプリケーションを介して、この責任移転要求を受信するようにパラメータ化されている）に送信する。
【０１１７】
責任移転要求によって、送付者個人ＩＴは、発送される物体を委ねようとしている引受人個人ＩＲの識別コード（コンピュータプラットフォームは、引受人個人の識別コードを受信して記憶するようにパラメータ化されている）を送信する。これによって、コンピュータプラットフォーム３は、引受人個人ＩＲが保持するコンピュータユニット１に含まれたコンピュータアプリケーションを介して、引受人個人に受入れ要求を送信することが可能になる。
【０１１８】
それに対し、引受人個人ＩＲは、自身のコンピュータユニットに含まれたコンピュータアプリケーションを介して、受入れ信号を送信する（プラットフォームは、引受人個人のコンピュータユニットに含まれたコンピュータアプリケーションを介して、引受人個人からの受入れ信号を受信するようにパラメータ化されている）。コンピュータアプリケーションを介して送信された受入れ信号は引受人個人の識別コードを含む（コンピュータプラットフォームは、受入れ信号を送信した引受人個人の識別コードを受信するようにコンピュータ化されている）。
【０１１９】
次に、パッケージに関連付けられた責任コードは引受人個人の識別コードで更新される（コンピュータプラットフォームは、引受人個人の識別コードで責任コードを更新するようにパラメータ化されている）。
【０１２０】
さらに、コンピュータプラットフォームは受入れ信号の日時をタイムスタンプデータ３４に記録する。
【０１２１】
明らかに、この手順はある個人から別の個人へのパッケージの移転の度に再現される。
【０１２２】
責任コードの「更新」は、場合によって、連続して記録された責任コードのログの更新を意味することに留意されたい。
【０１２３】
この点において、パッケージはそれぞれにコンピュータレジスタ３５を備える。並行して、コンピュータプラットフォームは、責任の移転に関連する連続する責任コード及びタイムスタンプデータで各パッケージＥのコンピュータレジスタ３５を更新するようにパラメータ化される。このようにして、パッケージの認識コードに関連付けられた責任コードのログが構成される。
【０１２４】
ここから、本発明による搬送システムにおける物体搬送手順及び個人間のやり取りについて説明する。
【０１２５】
第１の搬送例によれば、物体はある保管場所から別の保管場所へ搬送され、この場合、物体を送付するサービスのユーザは、発送される物体を預けるために第１保管場所へ向かい、受取人は、発送された物体を受け取るために第２保管場所へ向かう。
【０１２６】
この手順によれば、発送される物体を有するユーザは、
−（ユーザが最も近い保管場所を知っている限りで、そうでなければ、プラットフォームは、ユーザのジオロケーション、例えばユーザの居住地または職場に応じて、この保管場所を定めてもよい）ジオロケーションされた位置からの出発日、
−配達日及び（目的地の住所の形式でもよい）ジオロケーションされた位置、
−物体の重量及び／又は寸法、
−場合によって、支払方法、
の入力を可能にするユーザインタフェースにアクセスするために、システムのコンピュータプラットフォームに接続する。
【０１２７】
入力された出発側ジオロケーションに応じて、コンピュータプラットフォームは、前述の組み込み装置を備えつけられた発送パッケージを予約し、この予約を保管場所に知らせる。定められた保管場所において発送パッケージが入手できない場合、コンピュータプラットフォームは、定められた保管場所に発送パッケージを送付するサービスを保証する。
【０１２８】
ユーザは、発送される物体を持って第１保管場所に向かう。ユーザのスマートフォンにダウンロードされた専用のコンピュータアプリケーションによって、ユーザは、スマートフォン（又はコンピュータ）上に同じコンピュータアプリケーションを有する保管者に、物体及びその搬送に関するデータを送信する。これらの識別データを用いて、保管者は、発送される物体に割り当てられた発送パッケージを識別する（サービスのコンピュータプラットフォームは、発送パッケージに組み込まれた組み込み装置の特定の数字で表された識別コードを選択している）。
【０１２９】
保管者は、識別された発送パッケージ内に、発送される物体を置く。ユーザは、専用アプリケーションを介して保管者への引渡しを承認し、保管者は、この引渡しをデジタル方式で受け入れ、それにより、物体及び発送パッケージに責任を負う。
【０１３０】
この段階において、発送パッケージの組み込み装置は、近距離無線通信手段を介して保管者のスマートフォンと通信することを開始し、このスマートフォンのジオロケーションリソースにアクセスすることに留意されたい。
【０１３１】
並行して、個人のコミュニティは、システムを管理するコンピュータプラットフォームに報告を行い、特に以下の情報、
−出発日、
−出発地、
−到着日、
−到着地、
を入力する。
【０１３２】
ユーザデータ、並びにコミュニティの個人及び当該個人の移動に関するデータを用いて、コンピュータプラットフォームのサーバは、２つのデータベース、すなわち、発送される物体に関するデータベースと、個人の移動データを含む、個人が保持する携帯型ユニットに関するデータベースとを形成する。
【０１３３】
管理システムは、保管場所に存在し、発送の準備が整った発送パッケージに関するデータを、コミュニティの個人及び当該個人の移動に関するデータベースとリアルタイムで比較する。この比較によって、コンピュータプラットフォームは、出発側保管場所への近さ及び到着側保管場所への近さに基づいて、個人を選択する。例えばＳＭＳによって、移動者個人のスマートフォンに、発送される物体を収容する発送パッケージを受け取る時間及び位置を示す警告が送信される。
【０１３４】
出発側保管場所において、移動者は、自身のスマートフォンにダウンロードされたコンピュータアプリケーションによって保管者に自身の身元を明らかにし、受け取ったばかりの発送パッケージの識別子を保管者に送信する。
【０１３５】
保管者は、コンピュータシステムを用いて、移動者個人への発送パッケージの引渡しを承認し、そのことは、
−保管者のスマートフォンが発送パッケージ内の組み込み装置から切断され、
−発送パッケージ内の組み込み装置が移動者個人のスマートフォンに接続される、
ことをもたらす。
【０１３６】
移動者個人は、第２保管場所、すなわち到着側保管場所に向かう。移動の間、発送パッケージ内の組み込み装置は、移動者個人のスマートフォンに常時接続されており、これにより、発送された物体の追跡及びジオロケーションが確保され、これらのデータは、ユーザ及び送付者によるアクセスのために定期的にコンピュータプラットフォームに送信され得る。
【０１３７】
到着側保管場所において、移動者個人は、発送パッケージを保管者に引渡し、コンピュータアプリケーションを用いて保管者にパッケージ及びその発送の識別子を示し、保管者はコンピュータアプリケーションを介して発送パッケージを預かることを承認し、そのことは、
−発送パッケージの組み込み装置が移動者個人のスマートフォンから切断され、
−発送パッケージの組み込み装置が保管者のスマートフォンに接続される、
ことをもたらす。
【０１３８】
到着側保管者による発送パッケージの預かりの受入れは、コンピュータを介して、システムを管理するコンピュータプラットフォームに知らされ、コンピュータプラットフォームは、到着側保管場所のジオロケーションデータを送信することで、受取人ユーザにＳＭＳによって警告信号を送る。
【０１３９】
受取人個人は、到着側保管場所に向かい、事前に自身のスマートフォンにダウンロードされたコンピュータアプリケーションを用いて、保管者に自身の身元を明らかにする。
【０１４０】
保管者は、コンピュータアプリケーションを介して受取人個人の身元を確かめ、この個人への発送パッケージの引渡しを承認し、そのことは、
−発送パッケージの組み込み装置が保管者のスマートフォンから切断され、
−発送パッケージの組み込み装置が受取人個人のスマートフォンに接続される、
ことをもたらす。
【０１４１】
受取人個人はコンピュータアプリケーションを介して発送パッケージの受取りを承認し、この承認は、システムを管理するコンピュータプラットフォームに送信され、コンピュータプラットフォームはＳＭＳで送付者ユーザに通知を行う。
【０１４２】
明らかに、ここまで説明してきた保管者から保管者への搬送システムは、送付者個人と出発側保管場所との間の発送パッケージの搬送を確保する移動者個人の介在によって、及び、到着側保管場所から受取人個人への発送パッケージの移動を確保できる搬送の引渡し側の移動者個人の介在によって、上流及び下流で質を高められ得る。
【図１】
2019532437.tif 000003
【図２】
2019532437.tif 000004
【図３】
2019532437.tif 000005
【図４】
2019532437.tif 000006
【図５】
2019532437.tif 000007
【図６】
2019532437.tif 000008
【国際調査報告】
2019532437.tif 000009
2019532437.tif 000010
2019532437.tif 000011
2019532437.tif 000012